(57)【要約】【課題】本発明は自動車用の飾り収納ケースをを提供した。【解決手段】収納ケース及び駆動チャンバを含み、前記駆動チャンバの中にはモータが設置され、前記モータには上端が外部に位置する駆動軸が動力が伝達できるように接続され、前記駆動軸の上端には樹木模型が設置され、また前記駆動軸の下端には駆動歯車が設置され、前記駆動歯車の左右両端にはそれぞれ撹拌歯車と伝動歯車とが噛み合って接続される；本発明が飾り物を使用して飾る時、飾り物の内部空間を合理的に利用し、所要の物を貯蔵する又は使用することに便利であり、自動車内のスペースを節約し、また車内をきれいに見えるようにする。【選択図】図１
2020142779.tif 000002
【特許請求の範囲】
【請求項１】
収納ケース及び駆動チャンバを含み、前記駆動チャンバの中にはモータが設置され、前記モータには上端が外部に位置する駆動軸が動力が伝達できるように接続され、前記駆動軸の上端には樹木模型が設置され、また前記駆動軸の下端には駆動歯車が設置され、前記駆動歯車の左右両端にはそれぞれ撹拌歯車と伝動歯車とが噛み合って接続され、前記駆動チャンバの下端壁の中にはキャンディーチャンバと伝動チャンバとが設置され、前記キャンディーチャンバの中には上端が前記撹拌歯車を貫通する撹拌軸が設置され、前記伝動チャンバの中には上端が前記伝動歯車を貫通する伝動軸が設置され、前記伝動軸の下端には第一傘歯車が設置され、前記キャンディーチャンバの中には昇降機構が設置され、前記昇降機構は上方に開口したリミット溝を含み、前記リミット溝の下端壁の中には収納溝が設置され、前記収納溝の中には円錐形ブロックが設置され、前記リミット溝の中には受け板が設置され、前記受け板の中には上方に開口した二つのサポート溝が設置され、前記サポート溝の中にはサポートブロックが設置され、前記サポートブロックの下端には下端が前記円錐形ブロックと接続されるサポート板が設置され、前記受け板の上端面にはリミット板が設置され、前記キャンディーチャンバの前端壁には前記キャンディーチャンバに連通する昇降溝が設置され、前記昇降溝の中には昇降ブロックが設置され、前記昇降ブロックの後端には前記受け板と接続される接続ブロックが設置され、前記キャンディーチャンバの前端壁には外部空間に連通する接続パイプが設置され、前記伝動チャンバの中には旋回機構が設置され、前記旋回機構は前記伝動チャンバの左端壁と回転できるように接続される旋回軸と回転軸を含み、前記旋回軸には第一摩擦輪と前記第一傘歯車と噛み合う第二傘歯車とが設置され、前記回転軸には第二摩擦輪とロールペーパーとが設置され、前記伝動チャンバの右端壁には外部に連通する接続穴が設置され、前記接続穴の中には取り外し可能な仕切り板が設置され、前記収納ケースの上端面には太陽電池板が設置され、その作用は前記ロールペーパーとキャンディーを提供するのであることを特徴とする自動車用の飾り収納ケース。
【請求項２】
前記昇降機構はまた、前記接続パイプの前端壁の中に位置する前方に開口しているばねチャンバを含み、前記ばねチャンバの下端壁には昇降ばねが設置され、前記昇降ばねの上端には昇降板が設置され、前記昇降板の後端には後端が前記リミット板と前記受け板とを貫通し、且つ前記円錐形と接続されるロープが設置され、前記昇降チャンバの上端壁には外部空間に連通する移動チャンバが設置され、前記移動チャンバの中には移動ブロックが設置され、前記移動ブロックの中には前記移動チャンバと前記昇降チャンバとを連通する押し溝が設置され、前記押し溝の中には前端が外部に位置する押しブロックが設置され、前記接続パイプの上端壁にはばね溝が設置され、前記ばね溝の上端壁には伸縮ばねが設置され、前記伸縮ばねの下端には下端が前記昇降溝の中に位置する切断板が設置され、前記切断板の中には貫通穴が設置され、その作用は前記キャンディーチャンバの中のキャンディーを決められた量で取り出すことであることを特徴とする請求項１に記載の自動車用の飾り収納ケース。
【請求項３】
前記旋回機構はまた左端が前記伝動チャンバの左端壁と固定的に接続される固定ロッドを含み、前記固定ロッドの右端には回転筒がスライドできるよに接続され、前記回転筒には四分の三輪が設置され、前記回転筒の中には前記回転筒の内部空間に連通する二つの環状溝が設置され、前記環状溝の片側端壁には圧縮ばねが設置され、前記環状溝の中にはまた一端が前記固定ロッドと接続される固定板が設置され、前記固定板の一端が前記圧縮ばねの一端と接触し、前記移動チャンバの中にはまた後端が前記四分の三輪の左側に位置する電磁Ｌロッドが設置され、その作用は前記移動ブロックの運動により前記四分の三輪の運動を制御するのであることを特徴とする請求項１に記載の自動車用の飾り収納ケース。
【発明の詳細な説明】
【技術分野】
【０００１】
本発明は自動車用品分野に関わり、具体的には自動車用の飾り収納ケースである。
【背景技術】
【０００２】
目下、今までの自動車は内部空間が車のサイズの制限により、使用できる空間があまり足りなく、自動車内に所要の多くの物が雑然として置かれており、車内の空間が乱れており、収納空間が少なく、また車内にスナック食品を置く人もあり、自動車が揺れることにより、食品が倒れたりして車内を汚してしまう。
【先行技術文献】
【特許文献】
【０００３】
【特許文献１】中国特許出願公開第１０９１９３２３９号明細書
【発明の概要】
【発明が解決しようとする課題】
【０００４】
本発明は自動車用の飾り収納ケースを提供し、既存の技術における上記欠点を解消することを目的とする。
【課題を解決するための手段】
【０００５】
上記の欠点を解決するために、半発明が下記の技術方法を提供した：自動車用の飾り収納ケースは、収納ケース及び駆動チャンバを含み、前記駆動チャンバの中にはモータが設置され、前記モータには上端が外部に位置する駆動軸が動力が伝達できるように接続され、前記駆動軸の上端には樹木模型が設置され、また前記駆動軸の下端には駆動歯車が設置され、前記駆動歯車の左右両端にはそれぞれ撹拌歯車と伝動歯車とが噛み合って接続され、前記駆動チャンバの下端壁の中にはキャンディーチャンバと伝動チャンバとが設置され、前記キャンディーチャンバの中には上端が前記撹拌歯車を貫通する撹拌軸が設置され、前記伝動チャンバの中には上端が前記伝動歯車を貫通する伝動軸が設置され、前記伝動軸の下端には第一傘歯車が設置され、前記キャンディーチャンバの中には昇降機構が設置され、前記昇降機構は上方に開口したリミット溝を含み、前記リミット溝の下端壁の中には収納溝が設置され、前記収納溝の中には円錐形ブロックが設置され、前記リミット溝の中には受け板が設置され、前記受け板の中には上方に開口した二つのサポート溝が設置され、前記サポート溝の中にはサポートブロックが設置され、前記サポートブロックの下端には下端が前記円錐形ブロックと接続されるサポート板が設置され、前記受け板の上端面にはリミット板が設置され、前記キャンディーチャンバの前端壁には前記キャンディーチャンバに連通する昇降溝が設置され、前記昇降溝の中には昇降ブロックが設置され、前記昇降ブロックの後端には前記受け板と接続される接続ブロックが設置され、前記キャンディーチャンバの前端壁には外部空間に連通する接続パイプが設置され、前記伝動チャンバの中には旋回機構が設置され、前記旋回機構は前記伝動チャンバの左端壁と回転できるように接続される旋回軸と回転軸を含み、前記旋回軸には第一摩擦輪と前記第一傘歯車と噛み合う第二傘歯車とが設置され、前記回転軸には第二摩擦輪とロールペーパーとが設置され、前記伝動チャンバの右端壁には外部に連通する接続穴が設置され、前記接続穴の中には取り外し可能な仕切り板が設置され、前記収納ケースの上端面には太陽電池板が設置され、その作用は前記ロールペーパーとキャンディーを提供するのである。
【０００６】
好ましくは、前記昇降機構はまた、前記接続パイプの前端壁の中に位置する前方に開口しているばねチャンバを含み、前記ばねチャンバの下端壁には昇降ばねが設置され、前記昇降ばねの上端には昇降板が設置され、前記昇降板の後端には後端が前記リミット板と前記受け板とを貫通し、且つ前記円錐形と接続されるロープが設置され、前記昇降チャンバの上端壁には外部空間に連通する移動チャンバが設置され、前記移動チャンバの中には移動ブロックが設置され、前記移動ブロックの中には前記移動チャンバと前記昇降チャンバとを連通する押し溝が設置され、前記押し溝の中には前端が外部に位置する押しブロックが設置され、前記接続パイプの上端壁にはばね溝が設置され、前記ばね溝の上端壁には伸縮ばねが設置され、前記伸縮ばねの下端には下端が前記昇降溝の中に位置する切断板が設置され、前記切断板の中には貫通穴が設置され、その作用は前記キャンディーチャンバの中のキャンディーを決められた量で取り出すことである。
【０００７】
好ましくは、前記旋回機構はまた左端が前記伝動チャンバの左端壁と固定的に接続される固定ロッドを含み、前記固定ロッドの右端には回転筒がスライドできるよに接続され、前記回転筒には四分の三輪が設置され、前記回転筒の中には前記回転筒の内部空間に連通する二つの環状溝が設置され、前記環状溝の片側端壁には圧縮ばねが設置され、前記環状溝の中にはまた一端が前記固定ロッドと接続される固定板が設置され、前記固定板の一端が前記圧縮ばねの一端と接触し、前記移動チャンバの中にはまた後端が前記四分の三輪の左側に位置する電磁Ｌロッドが設置され、その作用は前記移動ブロックの運動により前記四分の三輪の運動を制御するのである。
【発明の効果】
【０００８】
上記により、本発明の有益な効果は：本発明装置は構造が簡単で、操作が便利であり、飾り物を使用して飾る時、飾り物の内部空間を合理的に利用し、所要の物を貯蔵する又は使用することに便利であり、自動車内のスペースを節約し、また車内をきれいに見えるようにする。
【図面の簡単な説明】
【０００９】
発明の実施例または既存の技術の中の技術方案をより詳しく説明できるため、下記には実施例または既存の技術を説明することに必要な付図に対して簡単な紹介を行い、明らかなように、下記の付図はただ発明の一部分の実施例であり、当業者にとって、創造的な労働を払わなくても、これらの付図に基づいて他の付図を獲得することができる；下記に図１−５を合わせて本発明を詳しく説明し、意思の疎通をもっと便利にすることができるため、後文に出る方位を下記の通りに規定する：下記に述べた上下左右前後の方向は図１自体の投影関係の上下左右前後の方向と一致している。
【００１０】
【図１】図１は本発明の自動車用の飾り収納ケースの整体断面の正面構造模式図である；
【図２】図２は本発明の自動車用の飾り収納ケースの昇降機構の局所断面の左側から見た拡大構造模式図である；
【図３】図３は本発明の自動車用の飾り収納ケースの旋回機構の局所断面の左側から見た拡大構造模式図である；
【図４】図４は本発明の自動車用の飾り収納ケースの旋回機構の全体断面の左側から見た拡大構造模式図である；
【図５】図５は本発明の自動車用の飾り収納ケースの旋回機構の局所断面の正面拡大構造模式図である；
【発明を実施するための形態】
【００１１】
本説明書に開示したすべての特徴、または開示したすべての方法または過程中のステップは、互いに排斥する特徴と／またはステップ以外に、いずれもあらゆる方式で組み合わせることができる。
【００１２】
図１−５を参照し、本発明が提供する実施例は：自動車用の飾り収納ケースは、収納ケース１及び駆動チャンバ２８を含み、前記駆動チャンバ２８の中にはモータ２３が設置され、前記モータ２３には上端が外部に位置する駆動軸２２が動力が伝達できるように接続され、前記駆動軸２２の上端には樹木模型２１が設置され、また前記駆動軸２２の下端には駆動歯車２４が設置され、前記駆動歯車２４の左右両端にはそれぞれ撹拌歯車２５と伝動歯車１８とが噛み合って接続され、前記駆動チャンバ２８の下端壁の中にはキャンディーチャンバ２９と伝動チャンバ２０とが設置され、前記キャンディーチャンバ２９の中には上端が前記撹拌歯車２５を貫通する撹拌軸２６が設置され、前記伝動チャンバ２０の中には上端が前記伝動歯車１８を貫通する伝動軸１７が設置され、前記伝動軸１７の下端には第一傘歯車１５が設置され、前記キャンディーチャンバ２９の中には昇降機構３１が設置され、前記昇降機構３１は上方に開口したリミット溝３６を含み、前記リミット溝３６の下端壁の中には収納溝５が設置され、前記収納溝５の中には円錐形ブロック４が設置され、前記リミット溝３６の中には受け板３５が設置され、前記受け板３５の中には上方に開口した二つのサポート溝５７が設置され、前記サポート溝５７の中にはサポートブロック５６が設置され、前記サポートブロック５６の下端には下端が前記円錐形ブロック４と接続されるサポート板３３が設置され、前記受け板３５の上端面にはリミット板３が設置され、前記キャンディーチャンバ２９の前端壁には前記キャンディーチャンバ２９に連通する昇降溝３８が設置され、前記昇降溝３８の中には昇降ブロック３７が設置され、前記昇降ブロック３７の後端には前記受け板３５と接続される接続ブロック３４が設置され、前記キャンディーチャンバ２９の前端壁には外部空間に連通する接続パイプ３９が設置され、前記伝動チャンバ２０の中には旋回機構９が設置され、前記旋回機構９は前記伝動チャンバ２０の左端壁と回転できるように接続される旋回軸１６と回転軸１２を含み、前記旋回軸１６には第一摩擦輪１９と前記第一傘歯車１５と噛み合う第二傘歯車１４とが設置され、前記回転軸１２には第二摩擦輪８とロールペーパー１３とが設置され、前記伝動チャンバ２０の右端壁には外部に連通する接続穴１０が設置され、前記接続穴１０の中には取り外し可能な仕切り板１１が設置され、前記収納ケース１の上端面には太陽電池板２７が設置され、その作用は前記ロールペーパー１３とキャンディーを提供するのである。
【００１３】
有益なように、前記昇降機構３１はまた、前記接続パイプ３９の前端壁の中に位置する前方に開口しているばねチャンバ４０を含み、前記ばねチャンバ４０の下端壁には昇降ばね４１が設置され、前記昇降ばね４１の上端には昇降板４４が設置され、前記昇降板４４の後端には後端が前記リミット板３と前記受け板３５とを貫通し、且つ前記円錐形４と接続されるロープ３２が設置され、前記昇降チャンバ４０の上端壁には外部空間に連通する移動チャンバ４７が設置され、前記移動チャンバ４７の中には移動ブロック４６が設置され、前記移動ブロック４６の中には前記移動チャンバ４７と前記昇降チャンバ４０とを連通する押し溝５９が設置され、前記押し溝５９の中には前端が外部に位置する押しブロック４５が設置され、前記接続パイプ３９の上端壁にはばね溝４９が設置され、前記ばね溝４９の上端壁には伸縮ばね４８が設置され、前記伸縮ばね４８の下端には下端が前記昇降溝３８の中に位置する切断板４３が設置され、前記切断板４３の中には貫通穴４２が設置され、その作用は前記キャンディーチャンバ２９の中のキャンディーを決められた量で取り出すことである。
【００１４】
有益なように、前記旋回機構９はまた左端が前記伝動チャンバ２０の左端壁と固定的に接続される固定ロッド２を含み、前記固定ロッド２の右端には回転筒６がスライドできるよに接続され、前記回転筒６には四分の三輪７が設置され、前記回転筒６の中には前記回転筒６の内部空間に連通する二つの環状溝５１が設置され、前記環状溝５１の片側端壁には圧縮ばね５３が設置され、前記環状溝５１の中にはまた一端が前記固定ロッド２と接続される固定板５２が設置され、前記固定板５２の一端が前記圧縮ばね５３の一端と接触し、前記移動チャンバ４７の中にはまた後端が前記四分の三輪７の左側に位置する電磁Ｌロッド５０が設置され、その作用は前記移動ブロック４６の運動により前記四分の三輪７の運動を制御するのである。
【００１５】
以下、出願人は附図１−５及び上記の本出願の自動車用の飾り収納ケースの具体的な構成を参考し、本出願の自動車用の飾り収納ケースの使用方法を詳しく紹介する：
【００１６】
太陽電池板２７が作動して発電し、モータ２３の働きをサポートし、駆動軸２２を回転させ、それにより樹木模型２１、駆動歯車２４、撹拌歯車２５、伝動歯車１８、撹拌軸２６及び伝動軸１７を回転させ、撹拌軸２６が回転してキャンディーチャンバ２９の中のキャンディーを撹拌し、伝動軸１７が回転して第一傘歯車１５、第二傘歯車１４、旋回軸１６及び第一摩擦輪１９を回転させる；
【００１７】
キャンディーを取り出す時、移動ブロック４６をプッシュして押しブロック４５を昇降板４４の上方に位置させ、押しブロック４５を押して昇降板４４を下降させ、昇降ばね４１が圧縮され、ロープ３２により円錐形ブロック４を連動させて上昇させ、円錐形ブロック４がサポート板３３を連動させてキャンディーチャンバ２９の中まで上昇させた後に受け板３５を上昇連動させ、それにより受け板３３の中のキャンディーを上昇させ、キャンディーが接続パイプ３９の左側に上昇した時、昇降ブロック３７が上昇して切断ブロック４３を上昇連動させる時に貫通穴４２が接続パイプ３９に連通し、それにより受け板３５の上側のキャンディーが接続パイプ３９を通して外部空間に入り、それによりキャンディーを取り出し、押しブロックを放し、装置がばねの作用の下で復帰する。
【００１８】
ロールペーパー１３を取り出して使用する時、移動ブロック４６を移動させ、移動ブロック４６が電磁Ｌロッド５０と摩擦によって伝動することにより電磁Ｌロッド５０を連動させて右へ運動させ、それにより四分の三輪７が第一摩擦輪１９と第二摩擦輪８と摩擦によって接続され、固定板５２が圧縮ばね５３と始終接触しており、第一傘歯車１５、第二傘歯車１４、旋回軸１６、四分の三輪７、第一摩擦輪１９及び第二摩擦輪８により、伝動軸１７の動力を回転軸１２に伝え、それによりロールペーパー１３を回転させ、それによりロールペーパー１３の一端を渡し、引き出して使用することに便利である。
【００１９】
本発明の有益な効果は：本発明装置は構造が簡単で、操作が便利であり、飾り物を使用して飾る時、飾り物の内部空間を合理的に利用し、所要の物を貯蔵する又は使用することに便利であり、自動車内のスペースを節約し、また車内をきれいに見えるようにする。
【００２０】
上記の記載は、ただ発明の具体的な実施方式であり、発明の保護範囲はこれに限定されたものではなく、創造的な労働を通さなく想到できる全ての変化又は入れ替わりは、本発明の保護範囲の中に含む。したがって、発明の保護範囲は請求項に限定した保護範囲を基準とするべきである。
【図１】
2020142779.tif 000003
【図２】
2020142779.tif 000004
【図３】
2020142779.tif 000005
【図４】
2020142779.tif 000006
【図５】
2020142779.tif 000007
【手続補正書】
【提出日】令和1年7月20日(2019.7.20)
【手続補正１】
【補正対象書類名】特許請求の範囲
【補正対象項目名】全文
【補正方法】変更
【補正の内容】
【特許請求の範囲】
【請求項１】
自動車装飾用の収納ケースであって、横方向に設置された軸の延びる方向を前記自動車装飾用の収納ケースの左右方向の基準とし、横方向の軸に垂直している軸の延びる方向の次元を前記自動車装飾用の収納ケースの前後方向の基準とし、収納ケース及び駆動チャンバを含み、前記駆動チャンバの中にはモータが設置され、前記モータには上端が外部に位置する駆動軸が動力が伝達できるように接続され、前記駆動軸の上端には樹状模型が設置され、また前記駆動軸の下端には駆動歯車が設置され、前記駆動歯車の左右両端にはそれぞれ第一歯車と伝動歯車とが噛み合って接続され、前記駆動チャンバの下端壁の中にはキャンディーチャンバと伝動チャンバとが設置され、前記キャンディーチャンバの中には上端が前記第一歯車を貫通する第一軸が設置され、前記伝動チャンバの中には上端が前記伝動歯車を貫通する伝動軸が設置され、前記伝動軸の下端には第一傘歯車が設置され、前記キャンディーチャンバの中にはキャンディー押出機構が設置され、
前記キャンディー押出機構は上方に開口したリミット溝と、前記リミット溝の下端壁の中に設置された収納溝と、前記収納溝の中に設置された円錐形ブロックと、前記リミット溝の中に設置された受け板と、前記受け板の中に設置され且つ上方に開口した二つのサポート溝と、前記サポート溝の中に設置されたサポートブロックと、前記サポートブロックの下端に設置され且つ下端が前記円錐形ブロックに接続されたサポート板と、前記受け板の上端面に設置されたリミット板と、前記キャンディーチャンバの前端壁に設置され且つ前記キャンディーチャンバに連通した昇降溝と、前記昇降溝の中に設置された昇降ブロックと、前記昇降ブロックの後端に設置され且つ前記受け板に接続される接続ブロックと、前記キャンディーチャンバの前端壁に設置され且つ外部空間に連通する接続パイプとを含み、
前記伝動チャンバの中には旋回機構が設置され、前記旋回機構は前記伝動チャンバの左端壁と回転できるように接続される旋回軸と第二軸を含み、前記旋回軸には第一摩擦輪と前記第一傘歯車と噛み合う第二傘歯車とが設置され、前記第二軸には第二摩擦輪とロールペーパーとが設置され、前記伝動チャンバの右端壁には外部に連通する接続穴が設置され、前記接続穴の中には前記接続穴と外部とを仕切る取り外し可能な仕切り板が設置され、前記収納ケースの上端面には太陽電池板が設置され、
前記キャンディー押出機構はまた、前記接続パイプの前端壁の中に位置する前方に開口しているばねチャンバを含み、前記ばねチャンバの下端壁には昇降ばねが設置され、前記昇降ばねの上端には昇降板が設置され、前記昇降板の後端には後端が前記リミット板と前記受け板とを貫通し、且つ前記円錐形と接続されるロープが設置され、前記昇降チャンバの上端壁には外部空間に連通する第一チャンバが設置され、前記第一チャンバの中には第一ブロックが設置され、前記第一ブロックの中には前記第一チャンバと前記昇降チャンバとを連通する押し溝が設置され、前記押し溝の中には前端が外部に位置する押しブロックが設置され、前記接続パイプの上端壁にはばね溝が設置され、前記ばね溝の上端壁には伸縮ばねが設置され、前記伸縮ばねの下端には下端が前記昇降溝の中に位置し且つ前記貫通穴と前記接続パイプとを仕切る第二仕切り板が設置され、前記第二仕切り板の中には貫通穴が設置され、
前記旋回機構はまた左端が前記伝動チャンバの左端壁と固定的に接続される固定ロッドを含み、前記固定ロッドの右端には回転筒がスライドできるように接続され、前記回転筒には転輪が設置され、前記回転筒の中には前記回転筒の内部空間に連通する二つの環状溝が設置され、前記環状溝の片側端壁には圧縮ばねが設置され、前記環状溝の中にはまた一端が前記固定ロッドと接続される固定板が設置され、前記固定板の一端が前記圧縮ばねの一端と接触し、前記第一チャンバの中にはまた後端が前記転輪の左側に位置するＬ型ロッドが設置され、
前記太陽電池板が作動して発電し、前記モータの働きをサポートし、前記駆動軸を回転させ、それにより前記樹状模型、前記駆動歯車、前記第一歯車、前記伝動歯車、前記第一軸及び前記伝動軸を回転させ、前記第一軸が回転して前記キャンディーチャンバの中のキャンディーを撹拌し、前記伝動軸が回転して前記第一傘歯車、前記第二傘歯車、前記旋回軸及び前記第一摩擦輪を回転させ、
キャンディーを取り出す時、前記第一ブロックをプッシュして前記押しブロックを前記昇降板の上方に位置させ、前記押しブロックを押して前記昇降板を下降させ、前記昇降ばねが圧縮され、前記ロープにより前記円錐形ブロックを連動させて上昇させ、前記円錐形ブロックが前記サポート板を連動させて前記キャンディーチャンバの中まで上昇させた後に前記受け板を上昇連動させ、それにより前記受け板の中のキャンディーを上昇させ、キャンディーが前記接続パイプの左側に上昇した時、前記昇降ブロックが上昇して前記切断ブロックを上昇連動させる時に前記貫通穴が前記接続パイプに連通し、それにより前記受け板の上側のキャンディーが前記接続パイプを通して外部空間に入り、それによりキャンディーを取り出し、前記押しブロックを放し、装置がばねの作用の下で復帰し、
前記ロールペーパーを取り出して使用する時、前記第一ブロックを移動させ、前記第一ブロックが前記Ｌ型ロッドと摩擦によって伝動することにより前記Ｌ型ロッドを連動させて右へ運動させ、それにより前記転輪が前記第一摩擦輪と前記第二摩擦輪と摩擦によって接続され、前記固定板が前記圧縮ばねと始終接触しており、前記第一傘歯車、前記第二傘歯車、前記旋回軸、前記転輪、前記第一摩擦輪及び前記第二摩擦輪により、前記伝動軸の動力を前記第二軸に伝え、それにより前記ロールペーパーを回転させ、それにより前記ロールペーパーの一端を渡し、引き出して使用することに便利であることを特徴とする自動車装飾用の収納ケース。
【手続補正２】
【補正対象書類名】明細書
【補正対象項目名】全文
【補正方法】変更
【補正の内容】
【発明の詳細な説明】
【技術分野】
【０００１】
本発明は自動車用品分野に関わり、具体的には自動車装飾用の収納ケースである。
【背景技術】
【０００２】
目下、今までの自動車は内部空間が車のサイズの制限により、使用できる空間があまり足りなく、自動車内に所要の多くの物が雑然として置かれており、車内の空間が乱れており、収納空間が少なく、また車内にスナック食品を置く人もあり、自動車が揺れることにより、食品が倒れたりして車内を汚してしまう。
【先行技術文献】
【特許文献】
【０００３】
【特許文献１】中国特許出願公開第１０９１９３２３９号明細書
【発明の概要】
【発明が解決しようとする課題】
【０００４】
本発明は自動車装飾用の収納ケースを提供し、既存の技術における上記欠点を解消することを目的とする。
【課題を解決するための手段】
【０００５】
上記の欠点を解決するために、半発明が下記の技術方法を提供した：自動車装飾用の収納ケースは、収納ケース及び駆動チャンバを含み、前記駆動チャンバの中にはモータが設置され、前記モータには上端が外部に位置する駆動軸が動力が伝達できるように接続され、前記駆動軸の上端には樹状模型が設置され、また前記駆動軸の下端には駆動歯車が設置され、前記駆動歯車の左右両端にはそれぞれ第一歯車と伝動歯車とが噛み合って接続され、前記駆動チャンバの下端壁の中にはキャンディーチャンバと伝動チャンバとが設置され、前記キャンディーチャンバの中には上端が前記第一歯車を貫通する第一軸が設置され、前記伝動チャンバの中には上端が前記伝動歯車を貫通する伝動軸が設置され、前記伝動軸の下端には第一傘歯車が設置され、前記キャンディーチャンバの中にはキャンディー押出機構が設置され、前記キャンディー押出機構は上方に開口したリミット溝を含み、前記リミット溝の下端壁の中には収納溝が設置され、前記収納溝の中には円錐形ブロックが設置され、前記リミット溝の中には受け板が設置され、前記受け板の中には上方に開口した二つのサポート溝が設置され、前記サポート溝の中にはサポートブロックが設置され、前記サポートブロックの下端には下端が前記円錐形ブロックと接続されるサポート板が設置され、前記受け板の上端面にはリミット板が設置され、前記キャンディーチャンバの前端壁には前記キャンディーチャンバに連通する昇降溝が設置され、前記昇降溝の中には昇降ブロックが設置され、前記昇降ブロックの後端には前記受け板と接続される接続ブロックが設置され、前記キャンディーチャンバの前端壁には外部空間に連通する接続パイプが設置され、前記伝動チャンバの中には旋回機構が設置され、前記旋回機構は前記伝動チャンバの左端壁と回転できるように接続される旋回軸と第二軸を含み、前記旋回軸には第一摩擦輪と前記第一傘歯車と噛み合う第二傘歯車とが設置され、前記第二軸には第二摩擦輪とロールペーパーとが設置され、前記伝動チャンバの右端壁には外部に連通する接続穴が設置され、前記接続穴の中には前記接続穴と外部とを仕切る取り外し可能な仕切り板が設置され、前記収納ケースの上端面には太陽電池板が設置される。
【０００６】
好ましくは、前記キャンディー押出機構はまた、前記接続パイプの前端壁の中に位置する前方に開口しているばねチャンバを含み、前記ばねチャンバの下端壁には昇降ばねが設置され、前記昇降ばねの上端には昇降板が設置され、前記昇降板の後端には後端が前記リミット板と前記受け板とを貫通し、且つ前記円錐形と接続されるロープが設置され、前記昇降チャンバの上端壁には外部空間に連通する第一チャンバが設置され、前記第一チャンバの中には第一ブロックが設置され、前記第一ブロックの中には前記第一チャンバと前記昇降チャンバとを連通する押し溝が設置され、前記押し溝の中には前端が外部に位置する押しブロックが設置され、前記接続パイプの上端壁にはばね溝が設置され、前記ばね溝の上端壁には伸縮ばねが設置され、前記伸縮ばねの下端には下端が前記昇降溝の中に位置し且つ前記貫通穴と前記接続パイプとを仕切る第二仕切り板が設置され、前記第二仕切り板の中には貫通穴が設置される。
【０００７】
好ましくは、前記旋回機構はまた左端が前記伝動チャンバの左端壁と固定的に接続される固定ロッドを含み、前記固定ロッドの右端には回転筒がスライドできるように接続され、前記回転筒には転輪が設置され、前記回転筒の中には前記回転筒の内部空間に連通する二つの環状溝が設置され、前記環状溝の片側端壁には圧縮ばねが設置され、前記環状溝の中にはまた一端が前記固定ロッドと接続される固定板が設置され、前記固定板の一端が前記圧縮ばねの一端と接触し、前記第一チャンバの中にはまた後端が前記転輪の左側に位置するＬ型ロッドが設置される。
【発明の効果】
【０００８】
上記により、本発明の有益な効果は：本発明装置は構造が簡単で、操作が便利であり、飾り物を使用して飾る時、飾り物の内部空間を合理的に利用し、所要の物を貯蔵する又は使用することに便利であり、自動車内のスペースを節約し、また車内をきれいに見えるようにする。
【図面の簡単な説明】
【０００９】
発明の実施例または既存の技術の中の技術方案をより詳しく説明できるため、下記には実施例または既存の技術を説明することに必要な付図に対して簡単な紹介を行い、明らかなように、下記の付図はただ発明の一部分の実施例であり、当業者にとって、創造的な労働を払わなくても、これらの付図に基づいて他の付図を獲得することができ、下記に図１−５を合わせて本発明を詳しく説明し、意思の疎通をもっと便利にすることができるため、後文に出る方位を下記の通りに規定する：下記に述べた上下左右前後の方向は図１自体の投影関係の上下左右前後の方向と一致している。
【００１０】
【図１】図１は本発明の自動車装飾用の収納ケースの整体断面の正面構造模式図
【図２】図２は本発明の自動車装飾用の収納ケースのキャンディー押出機構の局所断面の左側から見た拡大構造模式図
【図３】図３は本発明の自動車装飾用の収納ケースの旋回機構の局所断面の左側から見た拡大構造模式図
【図４】図４は本発明の自動車装飾用の収納ケースの旋回機構の全体断面の左側から見た拡大構造模式図
【図５】図５は本発明の自動車装飾用の収納ケースの旋回機構の局所断面の正面拡大構造模式図
【発明を実施するための形態】
【００１１】
本説明書に開示したすべての特徴、または開示したすべての方法または過程中のステップは、互いに排斥する特徴と／またはステップ以外に、いずれもあらゆる方式で組み合わせることができる。
【００１２】
図１−５を参照し、本発明が提供する実施例は：自動車装飾用の収納ケースは、収納ケース１及び駆動チャンバ２８を含み、前記駆動チャンバ２８の中にはモータ２３が設置され、前記モータ２３には上端が外部に位置する駆動軸２２が動力が伝達できるように接続され、前記駆動軸２２の上端には樹状模型２１が設置され、また前記駆動軸２２の下端には駆動歯車２４が設置され、前記駆動歯車２４の左右両端にはそれぞれ第一歯車２５と伝動歯車１８とが噛み合って接続され、前記駆動チャンバ２８の下端壁の中にはキャンディーチャンバ２９と伝動チャンバ２０とが設置され、前記キャンディーチャンバ２９の中には上端が前記第一歯車２５を貫通する第一軸２６が設置され、前記伝動チャンバ２０の中には上端が前記伝動歯車１８を貫通する伝動軸１７が設置され、前記伝動軸１７の下端には第一傘歯車１５が設置され、前記キャンディーチャンバ２９の中にはキャンディー押出機構３１が設置され、前記キャンディー押出機構３１は上方に開口したリミット溝３６を含み、前記リミット溝３６の下端壁の中には収納溝５が設置され、前記収納溝５の中には円錐形ブロック４が設置され、前記リミット溝３６の中には受け板３５が設置され、前記受け板３５の中には上方に開口した二つのサポート溝５７が設置され、前記サポート溝５７の中にはサポートブロック５６が設置され、前記サポートブロック５６の下端には下端が前記円錐形ブロック４と接続されるサポート板３３が設置され、前記受け板３５の上端面にはリミット板３が設置され、前記キャンディーチャンバ２９の前端壁には前記キャンディーチャンバ２９に連通する昇降溝３８が設置され、前記昇降溝３８の中には昇降ブロック３７が設置され、前記昇降ブロック３７の後端には前記受け板３５と接続される接続ブロック３４が設置され、前記キャンディーチャンバ２９の前端壁には外部空間に連通する接続パイプ３９が設置され、前記伝動チャンバ２０の中には旋回機構９が設置され、前記旋回機構９は前記伝動チャンバ２０の左端壁と回転できるように接続される旋回軸１６と第二軸１２を含み、前記旋回軸１６には第一摩擦輪１９と前記第一傘歯車１５と噛み合う第二傘歯車１４とが設置され、前記第二軸１２には第二摩擦輪８とロールペーパー１３とが設置され、前記伝動チャンバ２０の右端壁には外部に連通する接続穴１０が設置され、前記接続穴１０の中には前記接続穴１０と外部とを仕切る取り外し可能な仕切り板１１が設置され、前記収納ケース１の上端面には太陽電池板２７が設置される。
【００１３】
有益なように、前記キャンディー押出機構３１はまた、前記接続パイプ３９の前端壁の中に位置する前方に開口しているばねチャンバ４０を含み、前記ばねチャンバ４０の下端壁には昇降ばね４１が設置され、前記昇降ばね４１の上端には昇降板４４が設置され、前記昇降板４４の後端には後端が前記リミット板３と前記受け板３５とを貫通し、且つ前記円錐形４と接続されるロープ３２が設置され、前記昇降チャンバ４０の上端壁には外部空間に連通する第一チャンバ４７が設置され、前記第一チャンバ４７の中には第一ブロック４６が設置され、前記第一ブロック４６の中には前記第一チャンバ４７と前記昇降チャンバ４０とを連通する押し溝５９が設置され、前記押し溝５９の中には前端が外部に位置する押しブロック４５が設置され、前記接続パイプ３９の上端壁にはばね溝４９が設置され、前記ばね溝４９の上端壁には伸縮ばね４８が設置され、前記伸縮ばね４８の下端には下端が前記昇降溝３８の中に位置し且つ前記貫通穴４２と前記接続パイプ３９とを仕切る第二仕切り板４３が設置され、前記第二仕切り板４３の中には貫通穴４２が設置される。
【００１４】
有益なように、前記旋回機構９はまた左端が前記伝動チャンバ２０の左端壁と固定的に接続される固定ロッド２を含み、前記固定ロッド２の右端には回転筒６がスライドできるように接続され、前記回転筒６には転輪７が設置され、前記回転筒６の中には前記回転筒６の内部空間に連通する二つの環状溝５１が設置され、前記環状溝５１の片側端壁には圧縮ばね５３が設置され、前記環状溝５１の中にはまた一端が前記固定ロッド２と接続される固定板５２が設置され、前記固定板５２の一端が前記圧縮ばね５３の一端と接触し、前記第一チャンバ４７の中にはまた後端が前記転輪７の左側に位置するＬ型ロッド５０が設置される。
【００１５】
以下、出願人は附図１−５及び上記の本出願の自動車装飾用の収納ケースの具体的な構成を参考し、本出願の自動車装飾用の収納ケースの使用方法を詳しく紹介する：
【００１６】
太陽電池板２７が作動して発電し、モータ２３の働きをサポートし、駆動軸２２を回転させ、それにより樹状模型２１、駆動歯車２４、第一歯車２５、伝動歯車１８、第一軸２６及び伝動軸１７を回転させ、第一軸２６が回転してキャンディーチャンバ２９の中のキャンディーを撹拌し、伝動軸１７が回転して第一傘歯車１５、第二傘歯車１４、旋回軸１６及び第一摩擦輪１９を回転させる。
【００１７】
キャンディーを取り出す時、第一ブロック４６をプッシュして押しブロック４５を昇降板４４の上方に位置させ、押しブロック４５を押して昇降板４４を下降させ、昇降ばね４１が圧縮され、ロープ３２により円錐形ブロック４を連動させて上昇させ、円錐形ブロック４がサポート板３３を連動させてキャンディーチャンバ２９の中まで上昇させた後に受け板３５を上昇連動させ、それにより受け板３３の中のキャンディーを上昇させ、キャンディーが接続パイプ３９の左側に上昇した時、昇降ブロック３７が上昇して切断ブロック４３を上昇連動させる時に貫通穴４２が接続パイプ３９に連通し、それにより受け板３５の上側のキャンディーが接続パイプ３９を通して外部空間に入り、それによりキャンディーを取り出し、押しブロックを放し、装置がばねの作用の下で復帰する。
【００１８】
ロールペーパー１３を取り出して使用する時、第一ブロック４６を移動させ、第一ブロック４６がＬ型ロッド５０と摩擦によって伝動することによりＬ型ロッド５０を連動させて右へ運動させ、それにより転輪７が第一摩擦輪１９と第二摩擦輪８と摩擦によって接続され、固定板５２が圧縮ばね５３と始終接触しており、第一傘歯車１５、第二傘歯車１４、旋回軸１６、転輪７、第一摩擦輪１９及び第二摩擦輪８により、伝動軸１７の動力を第二軸１２に伝え、それによりロールペーパー１３を回転させ、それによりロールペーパー１３の一端を渡し、引き出して使用することに便利である。
【００１９】
本発明の有益な効果は：本発明装置は構造が簡単で、操作が便利であり、飾り物を使用して飾る時、飾り物の内部空間を合理的に利用し、所要の物を貯蔵する又は使用することに便利であり、自動車内のスペースを節約し、また車内をきれいに見えるようにする。
【００２０】
上記の記載は、ただ発明の具体的な実施方式であり、発明の保護範囲はこれに限定されたものではなく、創造的な労働を通さなく想到できる全ての変化又は入れ替わりは、本発明の保護範囲の中に含む。したがって、発明の保護範囲は請求項に限定した保護範囲を基準とするべきである。
【手続補正書】
【提出日】令和2年1月15日(2020.1.15)
【手続補正１】
【補正対象書類名】特許請求の範囲
【補正対象項目名】全文
【補正方法】変更
【補正の内容】
【特許請求の範囲】
【請求項１】
自動車装飾用の収納ケースであって、横方向に設置された軸の延びる方向を前記自動車装飾用の収納ケースの左右方向の基準とし、横方向の軸に垂直している軸の延びる方向の次元を前記自動車装飾用の収納ケースの前後方向の基準とし、収納ケース及び駆動チャンバを含み、前記駆動チャンバの中にはモータが設置され、前記モータには上端が外部に位置する駆動軸が動力が伝達できるように接続され、前記駆動軸の上端には樹状模型が設置され、また前記駆動軸の下端には駆動歯車が設置され、前記駆動歯車の左右両端にはそれぞれ第一歯車と伝動歯車とが噛み合って接続され、前記駆動チャンバの下端壁の中にはキャンディーチャンバと伝動チャンバとが設置され、前記キャンディーチャンバの中には上端が前記第一歯車を貫通する第一軸が設置され、前記伝動チャンバの中には上端が前記伝動歯車を貫通する伝動軸が設置され、前記伝動軸の下端には第一傘歯車が設置され、前記キャンディーチャンバの中にはキャンディー押出機構が設置され、
前記キャンディー押出機構は上方に開口したリミット溝と、前記リミット溝の下端壁の中に設置された収納溝と、前記収納溝の中に設置された円錐形ブロックと、前記リミット溝の中に設置された受け板と、前記受け板の中に設置され且つ上方に開口した二つのサポート溝と、前記サポート溝の中に設置されたサポートブロックと、前記サポートブロックの下端に設置され且つ下端が前記円錐形ブロックに接続されたサポート板と、前記受け板の上端面に設置されたリミット板と、前記キャンディーチャンバの前端壁に設置され且つ前記キャンディーチャンバに連通した昇降溝と、前記昇降溝の中に設置された昇降ブロックと、前記昇降ブロックの後端に設置され且つ前記受け板に接続される接続ブロックと、前記キャンディーチャンバの前端壁に設置され且つ外部空間に連通する接続パイプとを含み、
前記伝動チャンバの中には旋回機構が設置され、前記旋回機構は前記伝動チャンバの左端壁と回転できるように接続される旋回軸と第二軸を含み、前記旋回軸には第一摩擦輪と前記第一傘歯車と噛み合う第二傘歯車とが設置され、前記第二軸には第二摩擦輪とロールペーパーとが設置され、前記伝動チャンバの右端壁には外部に連通する接続穴が設置され、前記接続穴の中には前記接続穴と外部とを仕切る取り外し可能な仕切り板が設置され、前記収納ケースの上端面には太陽電池板が設置され、
前記キャンディー押出機構はまた、前記接続パイプの前端壁の中に位置する前方に開口しているばねチャンバを含み、前記ばねチャンバの下端壁には昇降ばねが設置され、前記昇降ばねの上端には昇降板が設置され、前記昇降板の後端には後端が前記リミット板と前記受け板とを貫通し、且つ前記円錐形と接続されるロープが設置され、前記昇降チャンバの上端壁には外部空間に連通する第一チャンバが設置され、前記第一チャンバの中には第一ブロックが設置され、前記第一ブロックの中には前記第一チャンバと前記昇降チャンバとを連通する押し溝が設置され、前記押し溝の中には前端が外部に位置する押しブロックが設置され、前記接続パイプの上端壁にはばね溝が設置され、前記ばね溝の上端壁には伸縮ばねが設置され、前記伸縮ばねの下端には下端が前記昇降溝の中に位置し且つ貫通穴と前記接続パイプとを仕切る第二仕切り板が設置され、前記第二仕切り板の中には前記貫通穴が設置され、前記第二仕切り板が上昇した後に前記貫通穴が前記第二仕切り板の左右両側にある前記接続パイプ同士を連通させ、
前記旋回機構はまた左端が前記伝動チャンバの左端壁と固定的に接続される固定ロッドを含み、前記固定ロッドの右端には回転筒がスライドできるように接続され、前記回転筒には転輪が設置され、前記回転筒の中には前記回転筒の内部空間に連通する二つの環状溝が設置され、前記環状溝の片側端壁には圧縮ばねが設置され、前記環状溝の中にはまた一端が前記固定ロッドと接続される固定板が設置され、前記固定板の一端が前記圧縮ばねの一端と接触し、前記第一チャンバの中にはまた後端が前記転輪の左側に位置するＬ型ロッドが設置され、
前記太陽電池板が作動して発電し、前記モータの働きをサポートし、前記駆動軸を回転させ、それにより前記樹状模型、前記駆動歯車、前記第一歯車、前記伝動歯車、前記第一軸及び前記伝動軸を回転させ、前記第一軸が回転して前記キャンディーチャンバの中のキャンディーを撹拌し、前記伝動軸が回転して前記第一傘歯車、前記第二傘歯車、前記旋回軸及び前記第一摩擦輪を回転させ、
キャンディーを取り出す時、前記第一ブロックをプッシュして前記押しブロックを前記昇降板の上方に位置させ、前記押しブロックを押して前記昇降板を下降させ、前記昇降ばねが圧縮され、前記ロープにより前記円錐形ブロックを連動させて上昇させ、前記円錐形ブロックが前記サポート板を連動させて前記キャンディーチャンバの中まで上昇させた後に前記受け板を上昇連動させ、それにより前記受け板の中のキャンディーを上昇させ、キャンディーが前記接続パイプの左側に上昇した時、前記昇降ブロックが上昇して前記第二仕切り板を上昇連動させる時に前記貫通穴が前記接続パイプに連通し、それにより前記受け板の上側のキャンディーが前記接続パイプを通して外部空間に入り、それによりキャンディーを取り出し、前記押しブロックを放し、前記キャンディー押出機構が前記昇降ばねと前記伸縮ばねの作用の下で復帰し、
前記ロールペーパーを取り出して使用する時、前記第一ブロックを移動させ、前記第一ブロックが前記Ｌ型ロッドと摩擦によって伝動することにより前記Ｌ型ロッドを連動させて右へ運動させ、それにより前記転輪が前記第一摩擦輪と前記第二摩擦輪と摩擦によって接続され、前記固定板が前記圧縮ばねと始終接触しており、前記第一傘歯車、前記第二傘歯車、前記旋回軸、前記転輪、前記第一摩擦輪及び前記第二摩擦輪により、前記伝動軸の動力を前記第二軸に伝え、それにより前記ロールペーパーを回転させ、それによりロールペーパーを引き出し且つ切り取るために前記ロールペーパーの一端を送り出すことを特徴とする自動車装飾用の収納ケース。
【手続補正２】
【補正対象書類名】明細書
【補正対象項目名】全文
【補正方法】変更
【補正の内容】
【発明の詳細な説明】
【技術分野】
【０００１】
本発明は自動車用品分野に関わり、具体的には自動車装飾用の収納ケースである。
【背景技術】
【０００２】
目下、今までの自動車は内部空間が車のサイズの制限により、使用できる空間があまり足りなく、自動車内に所要の多くの物が雑然として置かれており、車内の空間が乱れており、収納空間が少なく、また車内にスナック食品を置く人もあり、自動車が揺れることにより、食品が倒れたりして車内を汚してしまう。
【先行技術文献】
【特許文献】
【０００３】
【特許文献１】中国特許出願公開第１０９１９３２３９号明細書
【発明の概要】
【発明が解決しようとする課題】
【０００４】
本発明は自動車装飾用の収納ケースを提供し、既存の技術における上記欠点を解消することを目的とする。
【課題を解決するための手段】
【０００５】
上記の欠点を解決するために、半発明が下記の技術方法を提供した：自動車装飾用の収納ケースは、収納ケース及び駆動チャンバを含み、前記駆動チャンバの中にはモータが設置され、前記モータには上端が外部に位置する駆動軸が動力が伝達できるように接続され、前記駆動軸の上端には樹状模型が設置され、また前記駆動軸の下端には駆動歯車が設置され、前記駆動歯車の左右両端にはそれぞれ第一歯車と伝動歯車とが噛み合って接続され、前記駆動チャンバの下端壁の中にはキャンディーチャンバと伝動チャンバとが設置され、前記キャンディーチャンバの中には上端が前記第一歯車を貫通する第一軸が設置され、前記伝動チャンバの中には上端が前記伝動歯車を貫通する伝動軸が設置され、前記伝動軸の下端には第一傘歯車が設置され、前記キャンディーチャンバの中にはキャンディー押出機構が設置され、前記キャンディー押出機構は上方に開口したリミット溝を含み、前記リミット溝の下端壁の中には収納溝が設置され、前記収納溝の中には円錐形ブロックが設置され、前記リミット溝の中には受け板が設置され、前記受け板の中には上方に開口した二つのサポート溝が設置され、前記サポート溝の中にはサポートブロックが設置され、前記サポートブロックの下端には下端が前記円錐形ブロックと接続されるサポート板が設置され、前記受け板の上端面にはリミット板が設置され、前記キャンディーチャンバの前端壁には前記キャンディーチャンバに連通する昇降溝が設置され、前記昇降溝の中には昇降ブロックが設置され、前記昇降ブロックの後端には前記受け板と接続される接続ブロックが設置され、前記キャンディーチャンバの前端壁には外部空間に連通する接続パイプが設置され、前記伝動チャンバの中には旋回機構が設置され、前記旋回機構は前記伝動チャンバの左端壁と回転できるように接続される旋回軸と第二軸を含み、前記旋回軸には第一摩擦輪と前記第一傘歯車と噛み合う第二傘歯車とが設置され、前記第二軸には第二摩擦輪とロールペーパーとが設置され、前記伝動チャンバの右端壁には外部に連通する接続穴が設置され、前記接続穴の中には前記接続穴と外部とを仕切る取り外し可能な仕切り板が設置され、前記収納ケースの上端面には太陽電池板が設置される。
【０００６】
好ましくは、前記キャンディー押出機構はまた、前記接続パイプの前端壁の中に位置する前方に開口しているばねチャンバを含み、前記ばねチャンバの下端壁には昇降ばねが設置され、前記昇降ばねの上端には昇降板が設置され、前記昇降板の後端には後端が前記リミット板と前記受け板とを貫通し、且つ前記円錐形と接続されるロープが設置され、前記昇降チャンバの上端壁には外部空間に連通する第一チャンバが設置され、前記第一チャンバの中には第一ブロックが設置され、前記第一ブロックの中には前記第一チャンバと前記昇降チャンバとを連通する押し溝が設置され、前記押し溝の中には前端が外部に位置する押しブロックが設置され、前記接続パイプの上端壁にはばね溝が設置され、前記ばね溝の上端壁には伸縮ばねが設置され、前記伸縮ばねの下端には下端が前記昇降溝の中に位置し且つ貫通穴と前記接続パイプとを仕切る第二仕切り板が設置され、前記第二仕切り板の中には前記貫通穴が設置され、前記第二仕切り板が上昇した後に前記貫通穴が前記第二仕切り板の左右両側にある前記接続パイプ同士を連通させる。
【０００７】
好ましくは、前記旋回機構はまた左端が前記伝動チャンバの左端壁と固定的に接続される固定ロッドを含み、前記固定ロッドの右端には回転筒がスライドできるように接続され、前記回転筒には転輪が設置され、前記回転筒の中には前記回転筒の内部空間に連通する二つの環状溝が設置され、前記環状溝の片側端壁には圧縮ばねが設置され、前記環状溝の中にはまた一端が前記固定ロッドと接続される固定板が設置され、前記固定板の一端が前記圧縮ばねの一端と接触し、前記第一チャンバの中にはまた後端が前記転輪の左側に位置するＬ型ロッドが設置される。
【発明の効果】
【０００８】
上記により、本発明の有益な効果は：本発明装置は構造が簡単で、操作が便利であり、飾り物を使用して飾る時、飾り物の内部空間を合理的に利用し、所要の物を貯蔵する又は使用することに便利であり、自動車内のスペースを節約し、また車内をきれいに見えるようにする。
【図面の簡単な説明】
【０００９】
発明の実施例または既存の技術の中の技術方案をより詳しく説明できるため、下記には実施例または既存の技術を説明することに必要な付図に対して簡単な紹介を行い、明らかなように、下記の付図はただ発明の一部分の実施例であり、当業者にとって、創造的な労働を払わなくても、これらの付図に基づいて他の付図を獲得することができ、下記に図１−５を合わせて本発明を詳しく説明し、意思の疎通をもっと便利にすることができるため、後文に出る方位を下記の通りに規定する：下記に述べた上下左右前後の方向は図１自体の投影関係の上下左右前後の方向と一致している。
【００１０】
【図１】図１は本発明の自動車装飾用の収納ケースの整体断面の正面構造模式図
【図２】図２は本発明の自動車装飾用の収納ケースのキャンディー押出機構の局所断面の左側から見た拡大構造模式図
【図３】図３は本発明の自動車装飾用の収納ケースの旋回機構の局所断面の左側から見た拡大構造模式図
【図４】図４は本発明の自動車装飾用の収納ケースの旋回機構の全体断面の左側から見た拡大構造模式図
【図５】図５は本発明の自動車装飾用の収納ケースの旋回機構の局所断面の正面拡大構造模式図
【発明を実施するための形態】
【００１１】
本説明書に開示したすべての特徴、または開示したすべての方法または過程中のステップは、互いに排斥する特徴と／またはステップ以外に、いずれもあらゆる方式で組み合わせることができる。
【００１２】
図１−５を参照し、本発明が提供する実施例は：自動車装飾用の収納ケースは、収納ケース１及び駆動チャンバ２８を含み、前記駆動チャンバ２８の中にはモータ２３が設置され、前記モータ２３には上端が外部に位置する駆動軸２２が動力が伝達できるように接続され、前記駆動軸２２の上端には樹状模型２１が設置され、また前記駆動軸２２の下端には駆動歯車２４が設置され、前記駆動歯車２４の左右両端にはそれぞれ第一歯車２５と伝動歯車１８とが噛み合って接続され、前記駆動チャンバ２８の下端壁の中にはキャンディーチャンバ２９と伝動チャンバ２０とが設置され、前記キャンディーチャンバ２９の中には上端が前記第一歯車２５を貫通する第一軸２６が設置され、前記伝動チャンバ２０の中には上端が前記伝動歯車１８を貫通する伝動軸１７が設置され、前記伝動軸１７の下端には第一傘歯車１５が設置され、前記キャンディーチャンバ２９の中にはキャンディー押出機構３１が設置され、前記キャンディー押出機構３１は上方に開口したリミット溝３６を含み、前記リミット溝３６の下端壁の中には収納溝５が設置され、前記収納溝５の中には円錐形ブロック４が設置され、前記リミット溝３６の中には受け板３５が設置され、前記受け板３５の中には上方に開口した二つのサポート溝５７が設置され、前記サポート溝５７の中にはサポートブロック５６が設置され、前記サポートブロック５６の下端には下端が前記円錐形ブロック４と接続されるサポート板３３が設置され、前記受け板３５の上端面にはリミット板３が設置され、前記キャンディーチャンバ２９の前端壁には前記キャンディーチャンバ２９に連通する昇降溝３８が設置され、前記昇降溝３８の中には昇降ブロック３７が設置され、前記昇降ブロック３７の後端には前記受け板３５と接続される接続ブロック３４が設置され、前記キャンディーチャンバ２９の前端壁には外部空間に連通する接続パイプ３９が設置され、前記伝動チャンバ２０の中には旋回機構９が設置され、前記旋回機構９は前記伝動チャンバ２０の左端壁と回転できるように接続される旋回軸１６と第二軸１２を含み、前記旋回軸１６には第一摩擦輪１９と前記第一傘歯車１５と噛み合う第二傘歯車１４とが設置され、前記第二軸１２には第二摩擦輪８とロールペーパー１３とが設置され、前記伝動チャンバ２０の右端壁には外部に連通する接続穴１０が設置され、前記接続穴１０の中には前記接続穴１０と外部とを仕切る取り外し可能な仕切り板１１が設置され、前記収納ケース１の上端面には太陽電池板２７が設置される。
【００１３】
有益なように、前記キャンディー押出機構３１はまた、前記接続パイプ３９の前端壁の中に位置する前方に開口しているばねチャンバ４０を含み、前記ばねチャンバ４０の下端壁には昇降ばね４１が設置され、前記昇降ばね４１の上端には昇降板４４が設置され、前記昇降板４４の後端には後端が前記リミット板３と前記受け板３５とを貫通し、且つ前記円錐形４と接続されるロープ３２が設置され、前記昇降チャンバ４０の上端壁には外部空間に連通する第一チャンバ４７が設置され、前記第一チャンバ４７の中には第一ブロック４６が設置され、前記第一ブロック４６の中には前記第一チャンバ４７と前記昇降チャンバ４０とを連通する押し溝５９が設置され、前記押し溝５９の中には前端が外部に位置する押しブロック４５が設置され、前記接続パイプ３９の上端壁にはばね溝４９が設置され、前記ばね溝４９の上端壁には伸縮ばね４８が設置され、前記伸縮ばね４８の下端には下端が前記昇降溝３８の中に位置し且つ貫通穴４２と前記接続パイプ３９とを仕切る第二仕切り板４３が設置され、前記第二仕切り板４３の中には前記貫通穴４２が設置され、前記第二仕切り板４３が上昇した後に前記貫通穴４２が前記第二仕切り板４３の左右両側にある前記接続パイプ３９同士を連通させる。
【００１４】
有益なように、前記旋回機構９はまた左端が前記伝動チャンバ２０の左端壁と固定的に接続される固定ロッド２を含み、前記固定ロッド２の右端には回転筒６がスライドできるように接続され、前記回転筒６には転輪７が設置され、前記回転筒６の中には前記回転筒６の内部空間に連通する二つの環状溝５１が設置され、前記環状溝５１の片側端壁には圧縮ばね５３が設置され、前記環状溝５１の中にはまた一端が前記固定ロッド２と接続される固定板５２が設置され、前記固定板５２の一端が前記圧縮ばね５３の一端と接触し、前記第一チャンバ４７の中にはまた後端が前記転輪７の左側に位置するＬ型ロッド５０が設置される。
【００１５】
以下、出願人は附図１−５及び上記の本出願の自動車装飾用の収納ケースの具体的な構成を参考し、本出願の自動車装飾用の収納ケースの使用方法を詳しく紹介する：
【００１６】
太陽電池板２７が作動して発電し、モータ２３の働きをサポートし、駆動軸２２を回転させ、それにより樹状模型２１、駆動歯車２４、第一歯車２５、伝動歯車１８、第一軸２６及び伝動軸１７を回転させ、第一軸２６が回転してキャンディーチャンバ２９の中のキャンディーを撹拌し、伝動軸１７が回転して第一傘歯車１５、第二傘歯車１４、旋回軸１６及び第一摩擦輪１９を回転させる。
【００１７】
キャンディーを取り出す時、第一ブロック４６をプッシュして押しブロック４５を昇降板４４の上方に位置させ、押しブロック４５を押して昇降板４４を下降させ、昇降ばね４１が圧縮され、ロープ３２により円錐形ブロック４を連動させて上昇させ、円錐形ブロック４がサポート板３３を連動させてキャンディーチャンバ２９の中まで上昇させた後に受け板３５を上昇連動させ、それにより受け板３３の中のキャンディーを上昇させ、キャンディーが接続パイプ３９の左側に上昇した時、昇降ブロック３７が上昇して第二仕切り板４３を上昇連動させる時に貫通穴４２が接続パイプ３９に連通し、それにより受け板３５の上側のキャンディーが接続パイプ３９を通して外部空間に入り、それによりキャンディーを取り出し、押しブロック４５を放し、キャンディー押出機構３１が昇降ばね４１と伸縮ばね４８の作用の下で復帰する。
【００１８】
ロールペーパー１３を取り出して使用する時、第一ブロック４６を移動させ、第一ブロック４６がＬ型ロッド５０と摩擦によって伝動することによりＬ型ロッド５０を連動させて右へ運動させ、それにより転輪７が第一摩擦輪１９と第二摩擦輪８と摩擦によって接続され、固定板５２が圧縮ばね５３と始終接触しており、第一傘歯車１５、第二傘歯車１４、旋回軸１６、転輪７、第一摩擦輪１９及び第二摩擦輪８により、伝動軸１７の動力を第二軸１２に伝え、それによりロールペーパー１３を回転させ、それによりロールペーパー１３を引き出し且つ切り取るために前記ロールペーパー１３の一端を送り出す。
【００１９】
本発明の有益な効果は：本発明装置は構造が簡単で、操作が便利であり、飾り物を使用して飾る時、飾り物の内部空間を合理的に利用し、所要の物を貯蔵する又は使用することに便利であり、自動車内のスペースを節約し、また車内をきれいに見えるようにする。
【００２０】
上記の記載は、ただ発明の具体的な実施方式であり、発明の保護範囲はこれに限定されたものではなく、創造的な労働を通さなく想到できる全ての変化又は入れ替わりは、本発明の保護範囲の中に含む。したがって、発明の保護範囲は請求項に限定した保護範囲を基準とするべきである。
【手続補正３】
【補正対象書類名】図面
【補正対象項目名】図４
【補正方法】変更
【補正の内容】
【図４】
2020142779.tif 000008